(57)【要約】      （修正有）【課題】太陽光線や雨水を遮断するための傘として使用でき、且つある部材を容易に分解し、ステッキとして使用することもできるステッキ傘を提供する。【解決手段】固定具２１および摺動具２２を備える傘体２０と、一端に把手１２を備え、かつ前記摺動具を昇降自在に周設するロッド１１からなるステッキ体１０と、前記固定具に枢着する前記傘体のメイン傘骨２３と、前記摺動具および前記メイン傘骨に枢結し、前記摺動具の昇降動作により前記傘体を開閉させる上支持枠２４および弾性支持枠２５とを有し、前記ロッドの他端近傍には、前記固定具を係止して前記傘体を前記ステッキ体に着脱自在に着装させる弾性係止点１３を有することを特徴とするステッキ傘。【選択図】図１
0003109813.tif 000002
【実用新案登録請求の範囲】
【請求項１】
固定具および摺動具を備える傘体と、
一端に把手を備え、かつ前記摺動具を昇降自在に周設するロッドからなるステッキ体と、
前記固定具に枢着する前記傘体のメイン傘骨と、
前記摺動具および前記メイン傘骨に枢結し、前記摺動具の昇降動作により前記傘体を開閉させる上支持枠および弾性支持枠と
を有し、
前記ロッドの他端近傍には、前記固定具を係止して前記傘体を前記ステッキ体に着脱自在に着装させる弾性係止点を有することを特徴とするステッキ傘。
【請求項２】
前記弾性係止点を前記ロッドに押入することにより、前記ステッキ体に着装した傘体を離脱できることを特徴とする請求項１記載のステッキ傘。
【請求項３】
前記ロッドの他端に滑り止めキャップを嵌合してなる請求項１または２に記載のステッキ傘。
【請求項４】
前記固定具が、前記ロッドを挿通する挿通孔、および前記弾性係止点を係止する定位孔を有する請求項１から３のいずれか１項に記載のステッキ傘。
【考案の詳細な説明】
【技術分野】
【０００１】
本考案はステッキ機能を持つ傘の構造に係り、特に太陽光線や雨水を遮断するための傘として使用でき、且つある部材を分解した後にステッキとして使用することもできるステッキ機能を持つ傘の構造に関するものである。
【背景技術】
【０００２】
ステッキと傘とは一般に別々のものに分けて使用され、ステッキは歩行の補助器材として使用され、また、傘は、太陽光線や雨水を遮断するためのものであり、臨時にステッキとして使用してもよいが、傘骨の強度が低いので、傘をステッキとして体の重量を支持することは傘骨の座屈や曲げによる破壊を招くおそれがある。
【０００３】
これに対し、ステッキと傘の両機能を有する発明もこれまで行われており、例えば先行文献１（特許文献１：特開２００１−７００２１号公報）には、中空の杖に傘を収蔵できるステッキの発明が記載されている。
【特許文献１】特開２００１−７００２１号公報
【考案の開示】
【考案が解決しようとする課題】
【０００４】
上記発明は、杖の内部に傘構造を収納する機構であるため、杖が太く、重量も重くなることが避けられない。しかし杖の使用者にとって、重い杖を持ち歩くのは困難である。また晴天時などには不用の傘を外して杖のみを使用する場合が多いと予想されるところ、かかる発明では把手の螺合を外して収納されている傘を取り出す必要があり、かかる脱着作業は煩雑といえる。
【０００５】
そこで本考案の主な目的は、太陽光線や雨水を遮断するための傘として使用でき、且つある部材を分解してステッキとして使用することが容易にできるステッキ機能を持つ傘（以下、「ステッキ傘」という。）を提供することにある。
【課題を解決するための手段】
【０００６】
そこで本考案者は鋭意検討の末、
（１）固定具および摺動具を備える傘体と、
一端に把手を備え、かつ前記摺動具を昇降自在に周設するロッドからなるステッキ体と、
前記固定具に枢着する前記傘体のメイン傘骨と、
前記摺動具および前記メイン傘骨に枢結し、前記摺動具の昇降動作により前記傘体を開閉させる上支持枠および弾性支持枠と
を有し、
前記ロッドの他端近傍には、前記固定具を係止して前記傘体を前記ステッキ体に着脱自在に着装させる弾性係止点を有することを特徴とするステッキ傘
によって上記各課題が解決できるとの知見に基づき、本考案の完成に到った。
【０００７】
また本考案は、その具体的な実施の形態として以下の各関連考案を含む。
（２）前記弾性係止点を前記ロッドに押入することにより、前記ステッキ体に着装した傘体を離脱できることを特徴とする（１）記載のステッキ傘。
【０００８】
（３）前記ロッドの他端に滑り止めキャップを嵌合してなる（１）または（２）に記載のステッキ傘。
【０００９】
（４）前記固定具が、前記ロッドを挿通する挿通孔、および前記弾性係止点を係止する定位孔を有する（１）から（３）のいずれか１項に記載のステッキ傘。
【考案の効果】
【００１０】
本考案に係るステッキ機能を持つ傘の構造によれば、太陽光線や雨水を遮断するための傘として使用でき、且つある部材を分解した後にステッキとして使用することもできるステッキ傘が提供される。また、かかる分解作業を容易かつ速やかに行うことができることを特徴とするものである。これにより、傘体を不用とする晴天時などには、軽量かつ細い通常のステッキとして使用することができる。
【考案を実施するための最良の形態】
【００１１】
以下、添付図面を参照して本考案の実施の形態について説明する。ただし本考案は以下の実施の形態または図面のみに限られるものではない。
【００１２】
まず、図１を参照する。本考案に係るステッキ傘は、主に一つのステッキ体１０と、一つの傘体２０とからなる。前記ステッキ体１０のロッド１１は、その一端には把手１２が設けてあり、他端近傍には弾性係止点１３が設けてある。
【００１３】
傘体２０は、その中央の上方には一つの固定具２１を有し、その中央の下方には一つの摺動具２２を有する。固定具２１は、その中心には挿通孔２１１が開設してあり、その上端にはメイン傘骨２３と枢着する枢着部２１２が設けてあり、その周面の下側には定位孔２１３が開設してある。
【００１４】
メイン傘骨２３は傘体２０の円錐面を構成する放射状の芯材であり、長さや本数は特に限定されない。また金属または樹脂などの軽量かつ高剛性材料からなることが耐久性や操作性の観点から好ましい。
【００１５】
摺動具２２は、その中心には貫通孔２２１が開設してあり、その上端には上支持枠２４と枢着する上枢着部２２２が設けてあり、中央には弾性支持枠２５と枢着する下枢着部２２３が設けてある。上支持枠２４と弾性支持枠２５との他端はメイン傘骨２３と枢着し、摺動具２２が昇降動作することにより上支持枠２４と弾性支持枠２５は傘体２０を開閉させる。
【００１６】
上支持枠２４および弾性支持枠２５の取付角度、設置本数、材質などは特に限定されないが、摺動具２２の昇降動作を傘体２０のメイン傘骨２３に伝え、これを上下させる必要があることから、高剛性および高強度の金属または樹脂材料を用いることが好適である。また上支持枠２４および弾性支持枠２５は摺動具２２の周回に沿って一組であっても、複数組を設けてもよい。なお、上支持枠２４および／または弾性支持枠２５はそれぞれ二以上の部材を枢着したリンク機構にて構成してもよい。
【００１７】
ステッキ体１０の先端には滑り止めキャップ３０を設けてもよい。キャップ３０は、滑止機能を持つゴム材質で作製し、その下端の中心にはロッド１１と嵌合する結合用孔３１が設けることが好適である。
【００１８】
本考案は、太陽光線や雨水を遮断するための傘に組合って使用してもでき、且つある部材を分解した後にステッキとして使用することもできる。まず、図２と図３を参照する。本考案は太陽光線や雨水を遮断するための傘に組合って使用しようとするときには、前記ステッキ体１０にあるロッド１１の弾性係止点１３を近傍に有する一端は、傘体２０の摺動具２２にある貫通孔２２１を挿通して、固定具２１にある挿通孔２１１を挿通し、ロッド１１を挿入したときに弾性係止点１３が圧縮され、ロッドにある弾性係止点１３が固定具２１にある定位孔２１３に到達すると、弾性係止点１３がはね出して定位孔２１３に係止し、これにより、傘体２０がステッキ体１０に着装される。最後にキャップ３０にある結合用孔３１をステッキ１０の上端に嵌める。この状態で摺動具２２を上下に摺動すると、メイン傘骨２３が上支持枠２４と弾性支持枠２５とによって開閉される。
【００１９】
また、ステッキとして使用しようとするときには、図４に示すように、キャップを取り外して、定位孔２１３から突出した弾性係止点１３をロッド１１に押入すると、ステッキ１０にあるロッド１１から傘体２０を取り外すことができ、また、ロッド１０の端部にキャップ３０を嵌めると、把手１２を握ってステッキとして使用することができる。
【産業上の利用可能性】
【００２０】
本考案は、傘体を容易に着脱できるステッキ傘を提供するものである。傘骨に用いる軽量かつ高剛性の材料や、ステッキ先端に設ける照明用光源など他の技術分野の利用により、各種の関連考案への応用が期待できる。
【図面の簡単な説明】
【００２１】
【図１】本考案の分解斜視図である。
【図２】本考案の傘としての使用状態図である。
【図３】図２の一部の拡大断面図である。
【図４】本考案のステッキとしての使用状態図である。
【符号の説明】
【００２２】
１０      ステッキ体
１１      ロッド
１２      把手
１３      弾性係止点
２０      傘体
２１      固定具
２１１    挿通孔
２１２    枢着部
２１３    定位孔
２２      摺動具
２２１    貫通孔
２２２    上枢着部
２２３    下枢着部
２３      メイン傘骨
２４      上支持枠
２５      弾性支持枠
３０      キャップ
３１      結合用孔
【図１】
0003109813.tif 000003
【図２】
0003109813.tif 000004
【図３】
0003109813.tif 000005
【図４】
0003109813.tif 000006